(57)【特許請求の範囲】
【請求項１】
固定刃と、前記固定刃との間で切断対象物を切断する可動刃とを有するカッタであって、
前記可動刃は、
移動方向に対して傾きを有する一対の斜辺よりなる略Ｖ字形状の刃部と、
前記一対の斜辺それぞれに設けられている斜辺切欠部と、
前記一対の斜辺が交わる部分に設けられている中央切欠部と、
を有し、
前記各斜辺切欠部の最奥縁部の位置及び前記中央切欠部の最奥縁部の位置が、前記移動方向において異なり、
前記斜辺切欠部は、前記移動方向に長い長円形状であり、
前記中央切欠部は、略円形状である
ことを特徴とするカッタ。
【請求項２】
請求項１に記載のカッタを有することを特徴とするプリンタ。
【発明の詳細な説明】
【技術分野】
【０００１】
本発明はカッタに関し、特にプリンタと関連して設けてあり、印刷された用紙を複数点残しパーシャルカットするカッタに関する。
【背景技術】
【０００２】
ＰＯＳ端末や発券端末には、連続する用紙を自動的に切断する機能を備えたサーマルプリンタが組み込んである。サーマルプリンタに設けてあるカッタは、固定刃と、可動刃と、可動刃を移動させるモータとを備えた構成であり、可動刃はその刃部が一対の斜辺よりなる略Ｖ字形状であり、可動刃が固定刃に重なる方向に移動するときに、可動刃の刃部が固定刃の刃部に当たる部位が、２個所にあって、各当たる部位が両側より中央に向かって移動する構成であり、可動刃の刃部が固定刃の刃部に当たりつつ移動する個所で、用紙にせん断力を与えて、用紙を切断する構成である。
【０００３】
この可動刃は、略Ｖ字形状の刃部が一対の斜辺の夫々の部分に切欠部を有する形状であり、可動刃の最終移動位置が所望の位置となるように制御されて、可動刃の最終移動位置が浅いと複数点残し切断状態となり、最終移動位置が少し深くなると一点残し切断状態となり、最終移動位置が更に深くなるとフルカット状態とされる。
【先行技術文献】
【特許文献】
【０００４】
【特許文献１】特開平１１−４８１８７号公報
【発明の概要】
【発明が解決しようとする課題】
【０００５】
可動刃は斜辺の部分に切欠部を有する形状であり、刃部は不連続の状態にあり、用紙の切断は、外側の刃部による切断が当該刃部の端にまで進行すると、切断動作が一時的に中断し、内側の刃部による切断が再開するようにして進行する。切断動作が一時的に中断された部分に、切り残し部が形成される。
【０００６】
切断が円滑に行われるようにする必要がある。
【０００７】
本発明は、上記の点に鑑みなされたものであり、切断が円滑に行われるカッタを提供することを目的とする。
【課題を解決するための手段】
【０００８】
そこで、上記課題を解決するため、本発明は、
固定刃と、前記固定刃との間で切断対象物を切断する可動刃とを有するカッタであって、
前記可動刃は、
移動方向に対して傾きを有する一対の斜辺よりなる略Ｖ字形状の刃部と、
前記一対の斜辺それぞれに設けられている斜辺切欠部と、
前記一対の斜辺が交わる部分に設けられている中央切欠部と、
を有し、
前記各斜辺切欠部の最奥縁部の位置及び前記中央切欠部の最奥縁部の位置が、前記移動方向において異なり、
前記斜辺切欠部は、前記移動方向に長い長円形状であり、
前記中央切欠部は、略円形状である構成としたことを特徴とするカッタ。
【発明の効果】
【０００９】
尖状部は、用紙の切断が一時的に中断された状態で用紙の切断を再度開始する際に、用紙を突き刺す。
【図面の簡単な説明】
【００１０】
【図１】本発明の実施例１になるカッタを備えたサーマルプリンタを示す斜視図である。
【図２】図１のサーマルプリンタの側面図である。
【図３】図１のサーマルプリンタの概略図である。
【図４】図１のサーマルプリンタが組み込まれた携帯端末機器を示す図である。
【図５】図４の携帯端末機器のプリンタ部の構造を示す図である。
【図６】第１モジュールを示す斜視図である。
【図７】図６中、固定刃部材と支持部材とを分解して示す斜視図である。
【図８】第２モジュールを示す斜視図である。
【図９】第２モジュールの分解斜視図である。
【図１０】カッタを示す図である。
【図１１】カッタの側面図である。
【図１２】可動刃部材及びその一部分を拡大して示す図である。
【図１３】可動刃部材の平面図である。
【図１４】カッタの動作前の状態を示す図である。
【図１５】可動刃部材がスライドを開始して切断が開始されことを示す図である。
【図１６】可動刃部材が更にスライドして切断が中断されたことを示す図である。
【図１７】可動刃部材が更にスライドして切断が再開されたことを示す図である。
【図１８】可動刃部材が更にスライドして三点残しパーシャルカット状態となったことを示す図である。
【図１９】可動刃部材が更にスライドして二点残しパーシャルカット状態となったことを示す図である。
【図２０】可動刃部材が更にスライドして一点残しパーシャルカット状態となったことを示す図である。
【図２１】可動刃部材が更にスライドしてフルカット状態となったことを示す図である。
【図２２】第１の切欠部が第１の切り残し部を形成し、更にはこれを切断する動作を示す図である。
【図２３】可動刃部材の第１の変形例を示す図である。
【図２４】図２３の可動刃部材の平面図である。
【図２５】可動刃部材の第２の変形例を示す図である。
【図２６】可動刃部材の第３の変形例を示す図である。
【図２７】図２６の可動刃部材を備えたカッタの用紙切断状態を示す図である。
【図２８】クレジット決済の印刷及び切断例を示す図である。
【図２９】レシートとクーポンの連続印刷及び切断例を示す図である。
【図３０】制御回路の動作のフローチャートである。
【図３１】４人分の団体チケット発行の場合の印刷及び切断例を示す図である。
【図３２】１人につき２枚綴りの４人分の団体チケット発行の場合の印刷及び切断例を示す図である。
【図３３】本発明の実施例２になるカッタを備えたサーマルプリンタを示す斜視図である。
【図３４】図３３のサーマルプリンタの側面図である。
【図３５】第１モジュールを示す斜視図である。
【図３６】図３３のサーマルプリンタの概略図である。
【図３７】カッタを示す図である。
【図３８】カッタの側面図である。
【図３９】可動刃部材交換可能構造を示す図である。
【図４０】可動刃部材の交換を説明する図である。
【発明を実施するための形態】
【００１１】
次に本発明の実施の形態について説明する。
【実施例１】
【００１２】
図１及び図２は本発明の実施例１になるカッタ７０を備えたサーマルプリンタ１０を示す。図３（Ａ）、（Ｂ）、（Ｃ）はサーマルプリンタ１０を概略的に示す。サーマルプリンタ１０は、ラインプリンティングタイプであり、且つ、クラムシェルタイプである。図４（Ａ）、（Ｂ）はサーマルラインプリンタ１０が組み込んである携帯端末機器２０を示し、図５は携帯端末機器２０内にサーマルラインプリンタ１０が組み込んである状態を示す。Ｘ１−Ｘ２はサーマルプリンタ１０の幅方向、Ｙ１−Ｙ２は長手方向、Ｚ１−Ｚ２は高さ方向である。
【００１３】
［サーマルプリンタ１０の全体的構成及び動作］
サーマルプリンタ１０は、図６に示す第１モジュール３０に図８に示す第２モジュール５０が分離可能に結合された構成であり、第２モジュール５０が第１モジュール３０に結合された状態でカッタ７０が形成される構成であり、マイクロコンピュータよりなる制御回路１４０によって印刷及び切断が制御される構成である。カッタ７０は用紙の送り方向上、印刷が行われる個所よりも下流側に配置される。
【００１４】
第１モジュール３０は、図６に示すように、第１支持部材３１に、固定刃部材１２０、サーマルヘッド３２が固定してあるサーマルヘッド支持部材３３、ヘッド圧付勢板ばね部材３４、第１、第２のパルスモータ３５、３６、第１、第２のギヤ列３７、３８、プラテンローラロック部材４１、４２、フォトインタラプタ１３０等が取り付けてある構成である。
【００１５】
固定刃部材１２０は、平面板状であり、刃部１２０ａを有し、図７に示すように、Ｘ１、Ｘ２側の凸部１２０ｂ、１２０ｃ及びＹ２側の辺に沿う凸部１２０ｄ、１２０ｅを支持部材１２１の穴部１２１ａ〜１２１ｄに係合されて支持部材１２１に取り付けられており、支持部材１２１が第１支持部材３１上にねじ止めしてある。支持部材１２１は薄い金属板のプレス成形品であり、Ｚ１方向に切り起こして形成してある板ばね部１２１ｅ、１２１ｆ、１２１ｇ及び支え片１２１ｈ、１２１ｉを有する。固定刃部材１２０は、支え片１２１ｈ、１２１ｉに支持されており、且つ、板ばね部１２１ｅ、１２１ｆ、１２１ｇによってＺ１方向に付勢されており、図１１に示すように、凸部１２０ｄ、１２０ｅが穴部１２１ｃ、１２１ｄに係合してある部位を中心に刃部１２０ａ側がＺ１方向に押し上げられる。固定刃部材１２０は、板ばね部１２１ｅ、１２１ｆ、１２１ｇを撓ませつつＺ２方向に沈み込むように変位されると撓まされた板ばね部１２１ｅ、１２１ｆ、１２１ｇのばね力によって固定刃部材１２０にはＺ１方向の刃圧Ｆが発生する。
【００１６】
サーマルヘッド支持部材３３は、第１支持部材３１の幅に対応する大きさであり、図３（Ａ）に示すように、Ｚ２端部を支持部３１ａに支持されて狭い角度範囲内で回動可能に支持してあり、垂直面に対してＹ１方向に角度α傾斜している。サーマルヘッド支持部材３３のＹ１側の面にサーマルヘッド３２が固定してあり、板ばね部材３４によってＹ１方向に押されている。
【００１７】
第１のパルスモータ３５はプラテン回転用であり、このスピンドルのギヤは第１のギヤ列３７と噛み合っている。第２のパルスモータ３６は可動刃移動用であり、図９に示すように、このスピンドルのギヤ３６ａは第２のギヤ列３８と噛み合っている。３９は第１のギヤ列３７の出力側の小径ギヤであり、４０は第２のギヤ列３８の出力側の小径ギヤである。第１のパルスモータ３５及び第２のパルスモータ３６は供給されるパルス数に応じた角度回動される。特に多数枚のチケット等を発行する一連の印刷動作においては、第２のパルスモータ３６には後述するように情況に応じて異なるパルス数の信号が供給されて、一連の印刷動作の途中において、三点残しパーシャルカット、二点残しパーシャルカット、一点残しパーシャルカットが行われ、最後に最大のパルス数の信号が供給されてフルカットが行われる。
【００１８】
プラテンロック部材４１、４２はＸ１、Ｘ２側に配置してあり、プラテンロック部材４１には操作レバー４３が付いている。
【００１９】
フォトインタラプタ１３０は、受光部と発光部が対向する構造であり、通常は受光部は光を受光しておりオンであり、後述するラック５６の一部である遮光板部５６ａが受光部と発光部との間に進入すると遮光されてオフとなる。フォトインタラプタ１３０は、可動刃部材７１がＹ１方向に後退していることを検知する。
【００２０】
第２モジュール５０は、図８及び図９に示すように、略Ｕ字形状の第２支持部材５１に、プラテンローラ５２、可動刃部材７１、ギヤ列５４等が取り付けてある構成である。図９は第２モジュール５０を分解して示し、各部材の形状は概略的に示す。ギヤ列５４及び後述するラック５６、５７等が、可動刃部材７１を往復スライドさせる機構２００を構成する。
【００２１】
第２支持部材５１は、天板部５１ａと、この両側のフランジ部５１ｂ、５１ｃを有し、略Ｕ字形状である。プラテンローラ５２は、両側に突き出ている軸部５２ａ、５２ｂを、第２支持部材５１に形成してある軸受部５１ｄ、５１ｅに支持されている。軸部５２ｂにギヤ５５が固定してある。可動刃部材７１は、平面板状であり、Ｙ１方向側が谷のＶ字形状の刃部７２を有し、Ｘ１側にラック５６、Ｘ２側にラック５７が固定してある。可動刃部材７１は、ラック５６、５７をフランジ部５１ｂ、５１ｃに形成してあるガイド部５１ｆ、５１ｇに支持されており、Ｙ１−Ｙ２方向に移動可能である。可動刃部材７１と固定刃部材１２０とがカッタ７０を構成する。カッタ７０は、三点残しパーシャルカット、二点残しパーシャルカット、一点残しパーシャルカットが可能である構成であり、そのために可動刃部材７１は三つの切欠部７３、７４、７５を有しており、その形状については後述する。可動刃部材７１は、ギヤ列５４は、軸部５２ａに支持してあるギヤ５８と、ギヤ５８と噛み合ってフランジ部５１ｂ上の軸５９に支持されているギヤ６０と、ギヤ６０と噛み合っているピニオン６１と、別のピニオン６２とを有する。ピニオン６１、６２は、両側のフランジ部５１ｂ、５１ｃ間に横架してある軸部材６３の両端に固定してあり、夫々ラック５６、５７と噛み合っている。ギヤ６０とフランジ部５１ｂとの間には、復帰用のばね６４が軸５９に支持されて設けてある。復帰用のばね６４によって、可動刃部材７１はＹ１方向に移動しており第２支持部材５１の内部に引き込まれている。
【００２２】
上記のサーマルラインプリンタ１０は、携帯端末機器２０に図４（Ａ）、（Ｂ）及び図５に示すように、組み込んである。携帯端末機器２０は、シャーシ２１と、シャーシ２１を覆うケーシング２２と、Ｙ１側の軸２３に支持してある開閉蓋２４と、Ｙ１側のロール紙収容部２５と、ケーシング２２上の操作ボタン２６とを有する。第１モジュール３０は、ケーシング２２上、ロール紙収容部２５に臨む位置に固定してある。第２モジュール５０は、開閉蓋２４の先端の下面に固定してある。
【００２３】
図４（Ｂ）及び図５中二点鎖線に示すように、開閉蓋２４を開いて、感熱紙ロール８０をロール収容部２５内に収め、開閉蓋２４を閉じると、第２モジュール５０が第１モジュール３０と結合されて、図４（Ａ）及び図５図に示すようになる。即ち、プラテンローラ５２の軸部５２ａ、５２ｂがプラテンローラロック部材４１、４２に係合されてロックされ、プラテンローラ５２が用紙８１をサーマルヘッド３２に押し付けられ、用紙８１の先端が出口２７から外に出ている。また、可動刃部材７１の刃部７２が固定刃部３３ｂに対向して、カッタ７０が形成される。更には、ギヤ５５が小径ギヤ３９と噛み合い、ギヤ５８が小径ギヤ４０と噛み合う。
【００２４】
制御回路１４０がサーマルヘッド３２及び第１、第２のパルスモータ３５、３６の駆動を制御する。
【００２５】
印刷指令によって、サーマルヘッド３２が駆動されて発熱されると共にモータ３５が駆動されて第１のギヤ列３７及びギヤ５５を介してプラテンローラ５２が回転され、印刷された用紙部分８２がカッタ７０を通過して出口２７から送り出される。サーマルヘッド３２で発生した熱は、サーマルヘッド支持部材３３を通して放熱される。印刷が終了すると切断指令によって、モータ３６が駆動されて第２のギヤ列３８、ギヤ列５４、ピニオン６１、６２を介してラック５６、５７が駆動され、可動刃部材７１がＸ１−Ｘ２の両側を同時に駆動されて且つＸ１−Ｘ２の両側をガイド部５１ｆ、５１ｇによって案内されてＹ２方向にスライドし、その後にモータ３６が逆方向に駆動されて可動刃部材７１がＹ１方向にスライド復帰されて、印刷された用紙部分８２が切断される。
【００２６】
なお、操作レバー４３を操作するとプラテンローラ５２の軸部５２ａ、５２ｂに対するロックが解除され、開閉蓋２４が開かれ、感熱紙ロールが補給される。
【００２７】
なお、上記のカッタ７０の構造は、サーマルラインプリンタ以外のプリンタにも適用可能であり、且つ、上記のようにプリンタと一体的に設けてある構成に限らず、独立した装置としてのカッタにも適用可能である。
【００２８】
［カッタ７０の構成及び動作］
次に、カッタ７０の構成について説明する。
【００２９】
図３（Ａ）、（Ｂ）、（Ｃ）及び図１０、図１１に示すように、可動刃部材７１が固定刃部材１２０に対向する。可動刃部材７１の刃部７２は図３（Ｂ）に示すようにＹ１方向側が谷のＶ字形状であるため、可動刃部材７１がＹ２方向にスライド移動されるときに、可動刃部材７１の刃部７２は刃部１２０ａとの接触は、接触個所が二個所で、夫々が点接触の状態となり、且つこの点接触の個所に所定の刃圧が作用するようになり、更に、この点接触の位置がＸ１−Ｘ２の両側から中心の方向に向かって移動するようになる。よって、用紙はせん断力を良好に作用されて円滑に切断される。
【００３０】
ここで、刃圧の発生について説明する。図１１に示すように、可動刃部材７１はＸ１−Ｘ２の両側を天板部５１ａによって案内されてＺ１方向への変位を制限されている。よって、可動刃部材７１の刃部７２が刃部１２０ａをＺ２方向に押し付けると共にＹ２方向に擦る。これによって、固定刃部材１２０にはＺ２方向及びＹ２方向に力が作用され、固定刃部材１２０は板ばね部１２１ｅ、１２１ｆ、１２１ｇを撓ませてＺ２方向に僅かに変位され、固定刃部材１２０には、板ばね部１２１ｅ、１２１ｆ、１２１ｇのばね力によってＺ１方向の刃圧Ｆが発生する。
【００３１】
また、可動刃部材７１は、図１２（Ａ）及び図１３に示すように、一対の斜辺Ｓ１、Ｓ２よりなるＶ字形状の刃部７２を有し、且つ、このＶ字形状の底の部分に第３の切欠部７５を有し、且つ、斜辺Ｓ１の途中に第１の切欠部７３を有し、斜辺Ｓ２の途中に第２の切欠部７４を有する。第３の切欠部７５は、略円形であり、第１、第２の切欠部７３、７４は、Ｙ１−Ｙ２方向に長い長円形である。
【００３２】
図１３に示すように、第１の切欠部７３は、Ｘ１−Ｘ２方向の幅がＷ１−１である入り口部７３ａと、Ｙ１方向の端であって最奥に位置する最奥縁部７３ｂと、最奥縁部７３ｂと入り口部７３ａとの間の縁部７３ｃ、７３ｄとよりなる。縁部７３ｃ、７３ｄは、入り口部７３ａよりＹ１方向に変位するにつれてＸ１−Ｘ２方向に拡がる形状となっている。即ち、縁部７３ｃ、７３ｄの間の幅Ｗ２−１は、入り口部７３ａの幅Ｗ１−１よりも広く、Ｗ２−１＞Ｗ１−１である。
【００３３】
第２の切欠部７４は、上記の第１の切欠部７３と同じく、幅がＷ１−２である入り口部７４ａと、最奥縁部７４ｂと、その間の幅がＷ２−２である縁部７４ｃ、７４ｄとを有する。また、Ｗ２−２＞Ｗ１−２である。
【００３４】
第３の切欠部７５は、幅がＷ１−３である入り口部７５ａと、最奥縁部７５ｂと、その間の幅がＷ２−３である縁部７５ｃ、７５ｄとを有する。また、Ｗ２−３＞Ｗ１−３である。
【００３５】
Ｙ１−Ｙ２方向についてみる。ＹＰ２は最奥縁部７３ｂの位置、ＹＰ３は最奥縁部７４ｂの位置、ＹＰ４は最奥縁部７５ｂの位置、ＹＰ１は第３の切欠部７５の入り口部７５ａより若干Ｙ１側の位置である。ＹＰ１が最もＹ２側に位置し、ＹＰ２はＹＰ１よりもＹ１側に位置し、ＹＰ３はＹＰ２よりもＹ１側に位置し、ＹＰ４はＹＰ３よりもＹ１側に位置している。ＹＰ１、ＹＰ２、ＹＰ３、ＹＰ４は、Ｙ１方向に順次並んでいる。即ち、第１、第２、第３の切欠部７３、７４、７５は、その最奥縁部７３ｂ〜７５ｂの位置がＹ１−Ｙ２方向上ずれている。
【００３６】
なお、ＹＱ１〜ＹＱ４は、可動刃部材７１を基準としてみた場合の固定刃部材１２０の刃部１２０ａの位置を示す。ＹＱ２はＹＰ２とＹＰ３との間、ＹＱ３はＹＰ３とＹＰ４との間、ＹＱ４はＹＰ４よりＹ１側に位置している。ＹＱ１はＹＰ１よりＹ２側に位置している。
【００３７】
刃部７２について説明する。刃部７２は、第１の切欠部７３よりＸ１側の部分の刃部７２−１と、第１の切欠部７３と第３の切欠部７５との間の部分の刃部７２−２と、第２の切欠部７４と第３の切欠部７５との間の部分の刃部７２−３と、第２の切欠部７４よりＸ２側の部分の刃部７２−４とよりなる。刃部７２−１と刃部７２−４とは、図１２（Ｄ）、（Ｇ）に示すように、垂直面７２−１ａ、７２−４ａを有する形状である。刃部７２−２と刃部７２−３とは、図１２（Ｅ）、（Ｆ）に示すように、Ｚ１側にＹ２方向に突き出る傾斜面７２−２ａ、７２−３ａを有する。この傾斜面７２−２ａによって、刃部７２−２は、楔形状であると共に、図１２（Ｂ）に示すように、刃部７２−２は、Ｘ１側の端、即ち、刃部７２−２のうち入り口部７３ａに臨む部分に、Ｙ２方向に尖った尖状部７２−２ｂを有する。傾斜面７２−３ａによって、刃部７２−３は、楔形状であると共に、図１２（Ｃ）に示すように、刃部７２−３は、Ｘ２側の端、即ち、刃部７２−３のうち入り口部７３ａに臨む部分に、Ｙ２方向に尖った尖状部７２−３ｂを有する。尖状部７２−２ｂ、７２−３ｂは、後述するように、用紙を突き刺して用紙の切断を再度開始する機能を有する場所であり、用紙の切断の再開が円滑に開始される。
【００３８】
次に、カッタ７０が動作して用紙を切断する動作が進行する状態について説明する。
【００３９】
図１４（Ａ）、（Ｂ）は動作開始前の状態を示す。図１５乃至図２１は可動刃部材７１のＹ２方向にスライドした位置とそのときの用紙の切断状態とを対応させて示す。図１５（Ａ）乃至図２１（Ａ）は可動刃部材７１の固定刃部材１２０の刃部１２０ａに対する位置を示し、図１５（Ｂ）乃至図２１（Ｂ）は用紙に対する切断の進行状態を示す。可動刃部材７１はＹＲ０−１、ＹＲ０−２、ＹＲ０−１、ＹＲ０−３、ＹＲ１、ＹＲ２、ＹＲ３を経て、ＹＲ４まで移動される。なお、指令に応じて、ＹＲ１、ＹＲ２、或いはＹＲ３が可動刃部材７１の最終位置とされる。ＹＲ１、ＹＲ２、ＹＲ３と、ＹＲ４は、前記ＹＱ１〜ＹＱ４に対応する位置である。
【００４０】
図１４（Ａ）、（Ｂ）は動作開始前の状態であり、可動刃部材７１はＹＲ０−０に位置しており、用紙８１は切りこまれていない。
【００４１】
可動刃部材７１がＹ２方向に移動を開始すると、刃部７２−１及び７２−４とが固定刃部材１２０の刃部１２０ａと重なって、用紙８１がＸ１側とＸ２側から切断が開始される。可動刃部材７１が図１５（Ａ）に示すようにＹＲ０−１まで移動した状態では、用紙８２は図１５（Ｂ）に示す切断状態となる。８６は切断部分である。
【００４２】
可動刃部材７１が図１６（Ａ）に示すようにＹＲ０−２まで移動した状態では、第１の切欠部７３の入り口部７３ａ及び第２の切欠部７４の入り口部７４ａが刃部１２０ａと重なって、用紙８１の切断が中断され、用紙８１には、図１６（Ｂ）に示すように、第１及び第２の切り残し部８３、８４が形成され始める。第１の切欠部７３の部分については、図２２（Ｂ）に拡大して示す状態となる。
【００４３】
可動刃部材７１が図１７（Ａ）に示すようにＹＲ０−３まで移動した状態では、刃部７２−２及び７２−３が刃部１２０ａと重なり始めて、用紙の切断が再開され、図１７（Ｂ）に示すように、第１及び第２の切り残し部８３、８４が形成され、且つ、第１の切り残し部８３のＸ２側の端から及び第２の切り残し部８４のＸ１側の端から用紙の切断が再開される。第１の切欠部７３の部分については、図２２（Ｃ）に示す状態となる。
【００４４】
ここで、用紙の切断の再開は、用紙の端ではない部分、即ち、用紙の面から開始されることになるけれども、尖状部７２−２ｂ、７２−３ｂが用紙を突き刺すことによって、用紙の切断の再開は円滑に開始される。なお、カッタ７０が長い期間使用されたのちにおいても、用紙の切断の再開は円滑に開始される。また、再開された用紙の切断も、図１５（Ａ）に示す場合と同じく、刃圧が作用している点接触の個所が移動することによってせん断力によって行われる。よって、紙の切り粉が発生し難く、衛生的であり、例えば厨房等での使用に適する。
【００４５】
可動刃部材７１が図１８（Ａ）に示すようにＹＲ１まで移動した状態では、刃部７２−２及び７２−３が刃部１２０ａを通過し、第３の切欠部７５が刃部１２０ａと重なって、用紙８１には、図１８（Ｂ）に示すように、第３の切り残し部８５が形成される。用紙８１は、幅方向上中央に、第３の切り残し部８５、両側に、第１及び第２の切り残し部８３、８４が形成されている状態で切断された状態、即ち、三点残しパーシャルカット状態となる。第１の切欠部７３の部分については、図２２（Ｄ）に示す状態となる。
【００４６】
可動刃部材７１が図１９（Ａ）に示すようにＹＲ２まで移動した状態では、図２２（Ｅ）、（Ｆ）に併せて示すように、第１の切欠部７３の全体が刃部１２０ａ上に到り、第１の切欠部７３の最奥縁部７３ｂが可動刃と機能して第１の切り残し部８３を切断し、用紙８１は、図１９（Ｂ）に示すように、第３の切り残し部８５と第２の切り残し部８４が形成されている状態で切断された状態、即ち、二点残しパーシャルカット状態となる。
【００４７】
可動刃部材７１が図２０（Ａ）に示すようにＹＲ３まで移動した状態では、第２の切欠部７４の全体が刃部１２０ａ上に到り、第２の切欠部７４の最奥縁部７４ｂが可動刃と機能して第２の切り残し部８４を切断し、用紙８１は、図２０（Ｂ）に示すように、第３の切り残し部８５だけが形成されている状態で切断された状態、即ち、一点残しパーシャルカット状態となる。
【００４８】
可動刃部材７１が図２１（Ａ）に示すように最終のＹＲ４まで移動した状態では、第３の切欠部７５の全体が固定刃部３３ｂ上に到り、第３の切欠部７５の最奥縁部７５ｂが可動刃と機能して第３の切り残し部８５を切断し、用紙８１は、図２１（Ｂ）に示すように、フルカット状態となり、印刷された用紙部分８２が切断される。
【００４９】
上記の尖状部７２−２ｂ、７２−３ｂが存在することによって、三点残しパーシャルカットが可能であるカッタ７０は長い寿命を有する。
【００５０】
ここで、マイコンのプログラムを適宜設定することによって、第２のパルスモータ３６の駆動を自由に制御して、可動刃部材７１がＹＲ１まで移動して復帰するように、或いは、ＹＲ２まで移動して復帰するように、或いは、ＹＲ３まで移動して復帰するようにすることが可能である。
【００５１】
可動刃部材７１がＹＲ１まで移動して復帰した場合には、用紙８１は、図１８（Ｂ）に示すように、三点残しパーシャルカット状態となる。可動刃部材７１がＹＲ２まで移動して復帰した場合には、用紙８１は、図１９（Ｂ）に示すように、二点残しパーシャルカット状態となる。可動刃部材７１がＹＲ３まで移動して復帰した場合には、用紙８１は、図２０（Ｂ）に示すように、一点残しパーシャルカット状態となる。印刷された用紙部分８２を引きちぎるように引くことによって、印刷された用紙部分８２は用紙８１から切り離される。
【００５２】
なお、三点残しパーシャルカット或いは二点残しパーシャルカットの場合には、印刷された用紙部分８２の用紙８１に対する連結が、用紙８１の幅方向上離れている個所であって、且つ、複数個所であるため、強い風が当っても、印刷された用紙部分８２が回転して裏返しとなることは起きない。よって、携帯端末機器２０は例えば扇風機の強い風が当っている情況で厨房等で使用されて、注文のメニューの内容を印刷する場合に好適である。一点残しパーシャルカットの場合には、強い風が当った場合に、印刷された用紙部分が切り残し部を中心に回転して裏返しとなってしまって、調理人が注文のメニューを読めなくなってしまう虞れがあるけれども、三点残しパーシャルカット或いは二点残しパーシャルカットの場合には、このようなことが起きないからである。
【００５３】
次に、第１の切欠部７３と形成された第１の切り残し部８３との関係について説明する。
【００５４】
図２２（Ｂ）乃至（Ｄ）に示すように、第１の切欠部７３は形成された第１の切り残し部８３に対してＹ２方向に移動され、第１の切り残し部８３は第１の切欠部７３の内部に入り込んでくる状態となる。
【００５５】
図１３及び図２２（Ａ）に示すように、第１の切欠部７３は、縁部７３ｃ、７３ｄは、入り口部７３ａよりＹ１方向に変位するにつれてＸ１−Ｘ２方向に拡がる形状となっている。
【００５６】
このため、縁部７３ｃは形成された第１の切り残し部８３のＸ１側の縁８３ａからＸ１側に離れ、縁部７３ｄは第１の切り残し部８３のＸ２側の縁８３ｂからＸ２側に離れ、縁部７３ｃ、７３ｄは第１の切り残し部８３と擦れず、第１の切り残し部８３には、Ｙ２方向の力は作用しない。よって、用紙８１にはこれをねじるような無用な力は発生しない。
【００５７】
このことは、第２の切欠部７４と形成された第２の切り残し部８４との関係についても同じであり、第２の切り残し部８４にもＹ２方向の力は作用しない。また、第３の切欠部７５と形成された第３の切り残し部８５との関係についても同じであり、第３の切り残し部８５にもＹ２方向の力は作用しない。
【００５８】
よって、用紙８１のカットは、用紙８１にこれをねじるような無用な力を作用させないで行われる。
【００５９】
また、第１の切欠部７３は最奥縁部７３ｂ、縁部７３ｃ、７３ｄ、最奥縁部７３ｂが屈曲点を有しない湾曲している形状であるので、カット時に第１の切欠部７３の縁部が固定刃部３３ｂと接触する点の移動は円滑に行われ、第１の切欠部７３の縁部が固定刃部３３ｂにかみこむロックは起きない。第２の切欠部７４、第４の切欠部７５についても、同様に、縁部が固定刃部３３ｂと接触する点の移動は円滑に行われ、第２、３の切欠部７４、７５の縁部が固定刃部３３ｂにかみこむロックは起きない。
【００６０】
［可動刃部材７１の変形例］
次に、可動刃部材７１の変形例について説明する。
【００６１】
図２３及び図２４は第1の変形例になる可動刃部材７１Ａを示す。各図中、図１２、図１３に示す構成部分と対応する構成部分には同じ符号を付す。可動刃部材７１Ａは、第１の切欠部７３Ａ、第２の切欠部７４Ａ、第３の切欠部７５Ａを有する。第１の切欠部７３Ａは、スリット９０とこの奥の舌状刃部９１とよりなる。第２の切欠部７４Ａは、スリット１００とこの奥の舌状刃部１０１とよりなる。第３の切欠部７５Ａは、スリット１１０とこの奥の舌状刃部１１１とよりなる。第１、第２の切欠部７３Ａ、７４Ａの入り口に臨む部分のうち、可動刃部材７１Ａの中央側には、尖状部７２Ａ−２ｂ、７２Ａ−３ｂが形成してある。また、スリット９０、１００、１１０は、奥側の幅が入り口の幅より若干広いテーパ状となっている。舌状刃部９１、１０１、１１１は、前記の最奥縁部７３ｂ、７４ｂ、７５ｂに相当し、最奥縁部７３ｂ、７４ｂ、７５ｂと対応する配置で配置してある。舌状刃部９１、１０１、１１１は図２３（Ｄ）、（Ｅ）、（Ｆ）に示すように、Ｚ２方向にβ傾斜しており、且つ、そのＹ２側の縁９１ａ、１０１ａ、１１１ａはＹ１側に若干傾斜している。よって、舌状刃部９１、１０１、１１１と固定刃部とは、接触が点接触であって、この点接触の場所が移動するようになり、各切り残し部８３、８４、８５はその幅方向上一側から切断が開始されて切断される。
【００６２】
また、可動刃部材７１Ａのうちスリット９０のＸ２側の部分９２、即ち、スリット９０より可動刃部材７１Ａの中心側の部分は、図２３（Ｂ）に示すように、可動刃部材７１Ａのうちスリット１００のＸ１側の部分１０２、即ち、スリット１００より可動刃部材７１Ａの中心側の部分は、図２３（Ｃ）に示すように、共にＺ１方向にγ傾斜している。よって、可動刃部材７１ＡがＹ２方向にスライドされる途中において、刃部７２Ａ−２及び７２Ａ−３の端部は固定刃部材の刃部上に円滑に乗りあがり、固定刃部材の刃部と点接触している可動刃部材の刃部が刃部７２Ａ−１から刃部７２Ａ−２へ移り変わる動作、及び、刃部７２Ａ−４から刃部７２Ａ−３へ移り変わる動作は食い込んだロックを起こさずに円滑に行われる。
【００６３】
図２５（Ａ）は第２の変形例になる可動刃部材７１Ｂを示す。可動刃部材７１Ｂは、可動刃部材７１Ａとは、部分９２、１０２の形状が相違する。部分９２、１０２は、図２５（Ｂ）、（Ｃ）に示すように、そのＺ２側の面が傾斜面９３、１０３としてある。この構成によって、刃部７２Ｂ−１から刃部７２Ｂ−２へ移り変わる動作、及び、刃部７２Ｂ−４から刃部７２Ｂ−３へ移り変わる動作はロックを起こさずに円滑に行われる。
【００６４】
図２６は第３の変形例になる可動刃部材７１Ｃを示す。可動刃部材７１Ｃは、可動刃部材７１Ａとは切欠部の数を異にし、５つの切欠部を有する構成である。切欠部の番号は、形成された切り残し部が切断される順に付す。Ｖ字形状の底の部分に、即ち、中央部に、第５の切欠部７５Ｃを有し、且つ、斜辺Ｓ１の途中に第１の切欠部７３Ｃ−１、第３の切欠部７３Ｃ−２を有し、斜辺Ｓ２の途中に第２の切欠部７４Ｃ−１、第４の切欠部７４Ｃ−２を有する。第１、第２の切欠部７３Ｃ−１、７４Ｃ−１は第５の切欠部７５Ｃの両側に位置し、第３、第４の切欠部７３Ｃ−２、７４Ｃ−２は夫々第１、第２の切欠部７３Ｃ−１、７４Ｃ−１よりも外側に位置している。ＹＰ１０は第５の切欠部７５Ｃの入り口部の位置、ＹＰ１１は第１の切欠部７３Ｃ−１の最奥部の位置、ＹＰ１２は第２の切欠部７４Ｃ−１の最奥部の位置、ＹＰ１３は第３の切欠部７３Ｃ−２の最奥部の位置、ＹＰ１４は第４の切欠部７４Ｃ−２の最奥部の位置、ＹＰ１５は第５の切欠部７５Ｃの最奥部の位置であり、Ｙ２側からＹ１方向に順次並んでいる。ＹＱ１０〜ＹＱ１５は、可動刃部材７１Ｃを基準としてみた場合の刃部１２０ａの位置を示し、夫々ＹＰ１０〜ＹＰ１５よりも若干Ｙ１側に位置している。
【００６５】
可動刃部材７１ＣがＹ２方向にスライドされて、固定刃部材１２０の刃部１２０ａの可動刃部材７１Ｃに対する相対的な位置が移動して、ＹＱ１０に到ると、用紙８１は、幅方向上両側から符号８６で示す部分が切断され、図２７（Ａ）、（Ｂ）、（Ｃ）に示す状態を経て、図２７（Ｄ）に示すように、第１乃至第５の切り残し部８３−１、８４−１、８３−２、８４−２、８５が形成された五点残しパーシャルカット状態となる。
【００６６】
可動刃部材７１が更にスライドして刃部１２０ａの可動刃部材７１に対する相対的な位置がＹＱ１１に到ると、第１の切欠部７３Ｃ−１の最奥縁部が第１の切り残し部８３−１を切断して、用紙８１は、図２７（Ｅ）に示す四点残しパーシャルカット状態となる。
【００６７】
ＹＱ１２に到ると、第２の切欠部７４Ｃ−１の最奥縁部が第２の切り残し部８４−１を切断して、用紙８１は、図２７（Ｆ）に示す三点残しパーシャルカット状態となる。ＹＱ１３に到ると、第３の切欠部７３Ｃ−２の最奥縁部が第３の切り残し部８３−２を切断して、用紙８１は、図２７（Ｇ）に示す二点残しパーシャルカット状態となる。ＹＱ１４に到ると、第４の切欠部７４Ｃ−２の最奥縁部が第４の切り残し部８４−２を切断して、用紙８１は、図２７（Ｈ）に示すように第５の切り残し部８３−１だけでつながっている一点残しパーシャルカット状態となる。ＹＱ１５に到ると、第５の切欠部７５Ｃの最奥縁部が第５の切り残し部８５を切断して、フルカット状態となる。
【００６８】
第１乃至第５の切り残し部８３−１、８４−１、８３−２、８４−２、８５の切断の順序は、中央の切り残し部８５に近い部分から、左右交互に切断され、用紙８１の幅方向上両側の切り残し部が切断された後に、最後に中央の切り残し部８５が切断される。即ち、複数の切り残し部は中央に近い切り残し部から、左右バランス良く切除され、よって、切り離される用紙８２が帯状の用紙８１の中心線に関してねじれるように回転する現象は起きず、切り残し部の切断は円滑に行われる。
【００６９】
次に、サーマルプリンタ１０及びカッタ７０の具体的な使用例について説明する。制御回路１４０には、使用例に応じた所定のプログラムがプログラミングしてあり、サーマルプリンタ１０及びカッタ７０は所定のプログラムに応じて動作する。
【００７０】
［クレジット決済の印刷の場合］
サーマルプリンタ１０及びカッタ７０は、制御回路１４０によって制御されつつ、（１）顧客控えの印刷、（２）第１のパーシャルカット、（３）店舗控えの印刷、（４）第２のパーシャルカット、（５）ジャーナル記録、（６）第３のパーシャルカットよりなる一連の動作を、一つのまとまった動作として行う。
【００７１】
第１のパーシャルカット及び第２のパーシャルカットは三点残しパーシャルカットを行い、第３のパーシャルカットは一点残しパーシャルカットを行う。
【００７２】
図２８は上記の動作によって形成された、一組の三連印刷部２００を示す。
【００７３】
２０１は顧客控え、２０２は店舗控え、２０３はジャーナル記録である。２１０は三点残しパーシャルカット部、２１１は三点残しパーシャルカット部、２１２は一点残しパーシャルカット部である。三連印刷部２００が形成された後に、オペレータは手動操作で、三連印刷部２００を用紙８１から切り取る。
【００７４】
ここで、ジャーナル記録２０３と用紙８１との間のパーシャルカット部も三点残しである場合には、３箇所のパーシャルカット部のつなぎ強度が等しいため、顧客控え２０１を引っ張った場合に、切断される個所がジャーナル記録２０３と用紙８１との間となる保証はなく、店舗控え２０２とジャーナル記録２０３との間が切断されてしまうことも起こる。よって、オペレータは必ずジャーナル記録２０３をつまむ操作をする必要があり、面倒である。
【００７５】
しかし、前記のように、最後の部分を一点残しパーシャルカット部２１２とした場合には、一点残しパーシャルカット部２１２のつなぎ強度は三点残しパーシャルカット２１０、２１１のつなぎ強度よりも弱いため、オペレータが三連印刷部２００のうちのどこをつまんでも必ず一点残しパーシャルカット部２１２の個所で切断され、三連印刷部２００は用紙８１から切り取られ、操作性がよい。
【００７６】
［レシートとクーポンの連続印刷の場合］
サーマルプリンタ１０及びカッタ７０は、制御回路１４０によって制御されつつ、（１）レシートの印刷、（２）第１のパーシャルカット、（３）クーポンの印刷、（４）第２のパーシャルカットよりなる一連の動作を、一つのまとまった動作として行う。
【００７７】
第１のパーシャルカットは三点残しパーシャルカットを行い、第２のパーシャルカットは一点残しパーシャルカットを行う。
【００７８】
図２９は上記の動作によって形成された、一組の二連印刷部２２０を示す。２２１はレシート、２０２はクーポンである。２３０は三点残しパーシャルカット部、２３１は一点残しパーシャルカット部である。二連印刷部２２０が形成された後に、オペレータは手動操作で、二連印刷部２２０を用紙８１から切り取る。
【００７９】
［団体チケット発行の場合］
図４（Ａ）、（Ｂ）に示す携帯端末機器２０を団体チケット発行機として使用する場合には、制御回路１４０は、図３０に示す動作を行う。
【００８０】
先ず、携帯端末機器２０の操作ボタン２６の操作によって特定された、一人分のチケットの枚数ｎ、団体を構成する人数ｍの関する情報を取り込む（ＳＴ１）。
【００８１】
次いで、Ｍを１にセットし（ＳＴ２）、Ｎを１にセットする（ＳＴ３）。
【００８２】
次いで印刷を指令する（ＳＴ４）。
【００８３】
次いで、Ｎ＝ｎであるか否かを判断し（ＳＴ５）、判断結果がＮＯである場合には、切断１を指令し（ＳＴ６）、続いて、Ｎに１を加算し（ＳＴ７）、再度印刷を指令する（ＳＴ４）。
【００８４】
ＳＴ５の判断結果がＹＥＳである場合には、Ｍ＝ｍであるか否かを判断する（ＳＴ８）。
【００８５】
ＳＴ８の判断結果がＮＯである場合には、切断２を指令し（ＳＴ９）、続いて、Ｍに１を加算し（ＳＴ１０）、再度Ｎを１にセットする（ＳＴ３）。
【００８６】
ＳＴ８の判断結果がＹＥＳである場合には、切断３を指令する（ＳＴ１１）。
【００８７】
ここで、切断１（ＳＴ６）においては、パルスモータ３６に、可動刃部材７１が図１８（Ａ）に示すようにＹＲ１まで移動される分の個数のパルスが供給される。切断２（ＳＴ９）は、パルスモータ３６に、可動刃部材７１が図２０（Ａ）に示すようにＹＲ３まで移動される分の個数のパルスが供給される。切断３（ＳＴ１１）は、パルスモータ３６に、可動刃部材７１が図２１（Ａ）に示すようにＹＲ４まで移動される分の個数のパルスが供給される。
【００８８】
４人分の団体チケットを発行する場合、即ち、ｎ＝１、ｍ＝４である場合には、サーマルプリンタ１０及びカッタ７０は、制御回路１４０によって制御されつつ、（１）第１番目の人用のチケットの印刷、（２）第１のパーシャルカット、（３）第２番目の人用のチケットの印刷、（４）第２のパーシャルカット、（５）第３番目の人用のチケットの印刷、（６）第３のパーシャルカット、（７）第４番目の人用のチケットの印刷、（８）フルカットよりなる一連の動作を、一つのまとまった動作として行う。
【００８９】
図３１は上記の動作によって形成された、一組の四連印刷部よりなる４人分の団体チケット２４０を示す。２４１は第１番目の人用のチケット、２４２は第２番目の人用のチケット、２４３は第３番目の人用のチケット、２４４は第４番目の人用のチケットである。２５０、２５１、２５２は三点残しパーシャルカット部、２５３はフルカット部である。団体チケット２４０は別の団体チケットと連ならないようにするためにフルカットされて自動で用紙８１から切り離される。
【００９０】
１人につき２枚綴りのチケットよりなる４人分の団体チケットを発行する場合、即ち、ｎ＝２、ｍ＝４である場合には、サーマルプリンタ１０及びカッタ７０は、制御回路１４０によって制御されつつ、以下の（１）〜（１５）の一連の動作を、一つのまとまった動作として行う。図３２はこの動作によって形成された、一組の八連印刷部よりなる４人分の団体チケット２６０を示す。
【００９１】
動作（１）は第１番目の人用の第１番目のチケットの印刷であり、チケット２７１が形成される。動作（２）は第１のパーシャルカットであり、三点残しパーシャルカット部２８０が形成される。動作（３）は第１番目の人用の第２番目のチケットの印刷であり、チケット２７１が形成される。動作（４）は第２のパーシャルカットであり、一点残しパーシャルカット部２８１が形成される。動作（５）は第２番目の人用の第１番目のチケットの印刷であり、チケット２７３が形成される。動作（６）は第３のパーシャルカットであり、三点残しパーシャルカット部２８２が形成される。動作（７）は第２番目の人用の第２番目のチケットの印刷であり、チケット２７４が形成される。動作（８）は第４のパーシャルカットであり、一点残しパーシャルカット部２８３が形成される。動作（９）は第３番目の人用の第１番目のチケットの印刷であり、チケット２７５が形成される。動作（１０）第５のパーシャルカットであり、三点残しパーシャルカット部２８４が形成される。動作（１１）は第３番目の人用の第２番目のチケットの印刷であり、チケット２７６が形成される。動作（１２）は第６のパーシャルカットであり、一点残しパーシャルカット部２８５が形成される。動作（１３）は第４番目の人用の第１番目のチケットの印刷であり、チケット２７７が形成される。動作（１４）は第７のパーシャルカットであり、三点残しパーシャルカット部２８６が形成される。動作（１５）は第４番目の人用の第２番目のチケットの印刷であり、チケット２７８が形成される。最後の動作（１６）はフルカットであり、フルカット２８７が形成され、一組の八連印刷部よりなる４人分の団体チケット２６０は自動で用紙８１から切り離される。
【００９２】
４人分の団体チケット２６０は第１番目の人の２枚綴りのチケット２６１と、第２番目の人の２枚綴りのチケット２６２と、第３番目の人の２枚綴りのチケット２６３と、第４番目の人の２枚綴りのチケット２６４とよりなる。各番目の人の２枚綴りのチケットは三点残しパーシャルカット部でつながっているのに対して、各番目の人の２枚綴りのチケット２６１〜２６４の間は、一点残しパーシャルカット部２８１、２８３、２８５であるため、２枚綴りのチケット２６１〜２６４を各人に分ける切り離し操作は容易である。
【００９３】
なお、図２６に示す可動刃部材７１Ｃを備えた構成である場合には、切断１を図２７（Ｄ）に示す五点残しパーシャルカット、切断２を図２７（Ｆ）に示す三点残しパーシャルカット、切断３を図２７（Ｉ）に示すフルカット状態とすることも可能である。
【実施例２】
【００９４】
図３３及び図３４は本発明の実施例２になるカッタ７０Ａを備えたサーマルプリンタ１０Ａを示す。図３６（Ａ）、（Ｂ）、（Ｃ）はサーマルプリンタ１０Ａを概略的に示す。
【００９５】
サーマルプリンタ１０Ａは、図３５に示す第１モジュール３０Ａに図７に示す第２モジュール５０が分離可能に結合された構成であり、第２モジュール５０が第１モジュール３０Ａに結合された状態でカッタ７０Ａが形成される構成である。
【００９６】
第１モジュール３０Ａは、図６に示す第１モジュール３０とは、固定刃部３３Ａｂがサーマルヘッド支持部材３３Ａの一部に形成してある構成が相違する。固定刃部３３Ａｂは、金属板製のサーマルヘッド支持部材３３ＡのＺ１端に、Ｙ１方向に迫り出して形成してある。この固定刃部３３Ａｂは図３６（Ｃ）に示すようにＺ１方向に凸に僅かに湾曲している。支持部３１ａ内には、上記の板ばね部材３４Ａに一体的に形成してある板ばね片３４Ａａが入り込んでおり、Ｚ２端部３３Ａａは板ばね片３４Ａａに支持されている。よって、固定刃部３３Ａｂは、狭い範囲内において、Ｙ１−Ｙ２方向及びＺ１−Ｚ２方向に変位が可能であり、且つ、Ｙ２方向に変位されると板ばね部材３４Ａのばね力によってＹ１方向の刃圧Ｆ１が発生し、Ｚ２方向に沈み込むように変位されると板ばね片３４Ａａのばね力によってＺ１方向の刃圧Ｆ２が発生する。
【００９７】
図３７及び図３８に示すように、固定刃部３３Ａｂと可動刃部材７１とがカッタ７０Ａを構成する。カッタ７０Ａは、前記のカッタ７０と同様に、三点残しパーシャルカット、二点残しパーシャルカット、一点残しパーシャルカットが可能である。
【００９８】
固定刃部３３Ａｂはサーマルヘッド支持部材３３Ａの一部であり、カッタ７０Ａは、独立した部品である固定刃部材を有しない。よって、サーマルラインプリンタ１０Ａは、図１のサーマルラインプリンタ１０に比べて部品点数が少なくなり、Ｚ１−Ｚ２方向の寸法が短くなって、低背化が図れており、且つ軽量化が図れている。
【００９９】
［可動刃部材交換可能構造］
図３９及び図４０に示すように、可動刃部材は、携帯端末機器２０のユーザが簡単な作業で交換可能であるように取り付けてある。図３９（Ａ）、（Ｂ）、（Ｃ）に示すように、３００は補強用の可動刃支持プレートであり、可動刃部材に対応した形状であり、Ｙ２側のＸ１−Ｘ２側にＺ２向きに係止ピン３０１、３０２が突き出ている。可動刃支持プレート３００のＸ１−Ｘ２側にラック５６Ａ、５７Ａが固定してある。図３９（Ｃ）に示すように、ラック５６Ａ、５７Ａはその内側に張り出した支持部５６Ａｂ、５７Ａｂを有し、この支持部５６Ａｂ、５７Ａｂと可動刃支持プレート３００との間に隙間部３０３、３０４が形成してある。
【０１００】
図３９（Ａ）に示すように、可動刃部材７１Ｄは、図９に示す可動刃部材７１と略同じ形状であり、Ｙ２側のＸ１−Ｘ２側に係止孔７１Ｄａ、７１Ｄｂを有する。係止ピン３０１、３０２及び係止孔７１Ｄａ、７１Ｄｂが可動刃係止機構を構成する。
【０１０１】
図３９（Ｂ）、（Ｃ）に示すように、可動刃部材７１Ｄは、Ｙ１側のＸ１−Ｘ２側の部分７１Ｄｃ、７１Ｄｄを夫々隙間部３０３、３０４に挿入されて支持部５６Ａｂ、５７Ａｂによって支持され、且つ、係止孔７１Ｄａ、７１Ｄｂを夫々係止ピン３０１、３０２に嵌合されて、即ち、四隅を係止されて、可動刃支持プレート３００の下面に取り付けられている。
【０１０２】
可動刃部材７１Ｄを支持した可動刃支持プレート３００が図４０（Ａ）に示すように第２支持部材５１の天板部５１ａの下面側に組み込んである。可動刃部材７１Ｄが固定刃部材１２０と接触する。前記のモータ３６が可動刃支持プレート３００をスライドさせ、可動刃部材７１Ｄが可動刃支持プレート３００と一体的にスライドされて、用紙をカットする。
【０１０３】
可動刃部材７１Ｄの刃部が磨耗して切れ味が低下した場合には、携帯端末機器２０のユーザによって可動刃部材７１Ｄが交換される。先ず、図４０（Ｂ）に示すように、携帯端末機器２０の開閉蓋２４を開き、指先でギヤ６０を回し、図４０（Ｃ）に示すように、可動刃支持プレート３００をＹ２方向に移動させ、可動係止孔７１Ｄａ、７１Ｄｂが係止ピン３０１、３０２に嵌合してある部分が第２支持部材５１の外に露出する状態とし、この状態を維持しつつ、図４０（Ｄ）に示すように、可動刃支持プレート３００の先端側をＺ１方向に押し上げると共に可動刃部材７１Ｄの先端側をＺ２方向に押し下げ、係止孔７１Ｄａ、７１Ｄｂを夫々係止ピン３０１、３０２から外し、可動刃部材７１Ｄの先端側をＹ２方向に引く。これによって、可動刃部材７１Ｄが可動刃支持プレート３００の下面から引き出されて取り外される。古い可動刃部材に代えて新しい可動刃部材を可動刃支持プレート３００の下面に取り付ける。取り付け作業は、前記の取り外しとは逆の手順で行えばよい。
【０１０４】
なお、本願発明のカッタが切断する対象は用紙に限らず、合成樹脂製のシート、金属箔等でもよく、特許請求の範囲中の「用紙」は合成樹脂製のシート、金属箔等を含む。
【産業上の利用可能性】
【０１０５】
例えば複数枚のチケットが連なっている団体チケットを発行する装置に適用できる。
【符号の説明】
【０１０６】
１０、１０Ａ  サーマルプリンタ
２０  携帯端末機器
２４  開閉蓋
３０、３０Ａ〜３０Ｆ  第１モジュール
３２  サーマルヘッド
３３、３３Ａ  サーマルヘッド支持部材
３３Ａｂ  固定刃部
３４  ヘッド圧付勢板ばね部材
３５  第１のパルスモータ
３６  第２のパルスモータ
３７  第１のギヤ列
３８  第２のギヤ列
５０、５０Ａ  第２モジュール
７０、７０Ａ  カッタ
７１、７１Ａ、７１Ｂ、７１Ｃ  可動刃部材
７２  Ｖ字形状の刃部
７３、７４、７５  切欠部
７２−２ｂ、７２−３ｂ  尖状部
９２、１０２  傾斜している部分
９３、１０３  傾斜面
１２０  固定刃部材
１３０  フォトインタラプタ
１４０  制御回路
【図１】
0005467093.tif 000002
【図２】
0005467093.tif 000003
【図３】
0005467093.tif 000004
【図４】
0005467093.tif 000005
【図５】
0005467093.tif 000006
【図６】
0005467093.tif 000007
【図７】
0005467093.tif 000008
【図８】
0005467093.tif 000009
【図９】
0005467093.tif 000010
【図１０】
0005467093.tif 000011
【図１１】
0005467093.tif 000012
【図１２】
0005467093.tif 000013
【図１３】
0005467093.tif 000014
【図１４】
0005467093.tif 000015
【図１５】
0005467093.tif 000016
【図１６】
0005467093.tif 000017
【図１７】
0005467093.tif 000018
【図１８】
0005467093.tif 000019
【図１９】
0005467093.tif 000020
【図２０】
0005467093.tif 000021
【図２１】
0005467093.tif 000022
【図２２】
0005467093.tif 000023
【図２３】
0005467093.tif 000024
【図２４】
0005467093.tif 000025
【図２５】
0005467093.tif 000026
【図２６】
0005467093.tif 000027
【図２７】
0005467093.tif 000028
【図２８】
0005467093.tif 000029
【図２９】
0005467093.tif 000030
【図３０】
0005467093.tif 000031
【図３１】
0005467093.tif 000032
【図３２】
0005467093.tif 000033
【図３３】
0005467093.tif 000034
【図３４】
0005467093.tif 000035
【図３５】
0005467093.tif 000036
【図３６】
0005467093.tif 000037
【図３７】
0005467093.tif 000038
【図３８】
0005467093.tif 000039
【図３９】
0005467093.tif 000040
【図４０】
0005467093.tif 000041